(57)【要約】【課題】ハンモック装着用の外側差込部材と耳あご紐装着用の内側差込部材の係止する部位を異ならせしめ、一方が外れても他方が外れないようにしたヘルメットの内装体係止装置を提供する。【解決手段】内装体係止装置５０は、ハンモック装着用の外側差込部材５１と、耳あご紐装着用の内側差込部材８１と、からなる。外側差込部材５１の一対の弾性係止部材６６，６７は、ヘルメット本体１０の一対の係止凸部２０，４０に係止される一対の係止部７２，７３と、この係止を解除する一対の操作部７７，７８と、を有する。内側差込部材８１は、外側差込部材５１の内側に配置された時に、ヘルメット本体１０の係止突起２５に係止される弾性係止片９１を有する。弾性係止部材６６，６７には、弾性係止片９１の係止を解除する係止解除部７５，７６が形成されている。【選択図】図１
2017210709.tif 000002
【特許請求の範囲】
【請求項１】
ヘルメット本体に内装体を装着するヘルメットの内装体係止装置であって、
ハンモック装着用の外側差込部材と、
前記外側差込部材の内側に配置される、耳あご紐装着用の内側差込部材と、を備え、
前記外側差込部材は、一対の弾性係止部材を有し、
前記一対の弾性係止部材は、
前記ヘルメット本体の縁部付近内面に形成された一対の係止凸部間に前記外側差込部材を差し込むことによって前記一対の係止凸部に係止される一対の係止部と、
前記一対の係止部を素材の弾性に抗して前記一対の係止凸部の係止位置から非係止位置に移動させて係止を解除する一対の操作部と、が形成され、
前記内側差込部材は、前記ヘルメット本体の前記一対の係止凸部に前記一対の係止部を介して係止された前記外側差込部材の内側に配置されたときに、前記ヘルメット本体の縁部付近内面に形成された係止突起に係止される弾性係止片を有し、
前記一対の弾性係止部材には、前記外側差込部材の一対の操作部の操作により、前記弾性係止片を弾性に抗して前記係止突起の係止位置から非係止位置に移動させて係止を解除する係止解除部が形成されていることを特徴とするヘルメットの内装体係止装置。
【請求項２】
前記内側差込部材の弾性係止片の両側には、前記係止解除部が当接する傾斜ガイド面がそれぞれ形成され、
当該傾斜ガイド面は、前記一対の操作部の操作により、前記係止解除部に押圧され、前記弾性係止片を前記係止位置から前記非係止位置に移動させ、且つ、前記内側差込部材を前記外側差込部材から引き抜く方向に移動させる形状に形成されていることを特徴とする請求項１に記載のヘルメットの内装体係止装置。
【請求項３】
前記内側差込部材の両側には、前記一対の操作部が当接する当接縁が形成され、
当該当接縁は、前記一対の操作部の操作により、前記操作部に当接し、前記内側差込部材を前記外側差込部材から引き出す方向に移動させる形状に形成されていることを特徴とする請求項１又は２に記載のヘルメットの内装体係止装置。
【請求項４】
前記内側差込部材の外縁に一対の第１の係合部が設けられ、
前記一対の係止凸部に沿って前記第１の係合部とそれぞれ係合する第２の係合部がそれぞれ設けられていることを特徴とする請求項１〜３のいずれかに記載のヘルメットの内装体係止装置。
【請求項５】
前記第１の係合部は前記内側差込部材の外縁から外方に突出した凸片からなり、
前記第２の係合部は前記凸片を受ける係合溝からなることを特徴とする請求項４に記載のヘルメットの内装体係止装置。
【請求項６】
前記外側差込部材は、前記操作部の操作時に当該操作部に当接するように前記外側差込部材の長手方向端縁から突出している一対の阻止片をさらに有することを特徴とする請求項１〜５のいずれかに記載のヘルメットの内装体係止装置。
【発明の詳細な説明】
【技術分野】
【０００１】
本願発明は、ハンモックや耳あご紐等の内装体をヘルメット本体の内面に着脱可能に取り付けるヘルメットの内装体係止装置に関するものである。
【背景技術】
【０００２】
ヘルメットは、半球体形状のヘルメット本体（帽体）と、ヘルメット本体の内面側に着脱可能に取り付けられる内装体とからなる。内装体は、主に頭部への衝撃を吸収する機能を持つハンモックと、ヘルメットを頭部に装着するためのヘッドバンドと、ヘルメットが着用者の頭部から脱落することを防止するための耳あご紐と、からなっている。ヘルメットは、ヘルメット本体にこの内装体を取り付ける内装体係止装置を有する。
【０００３】
この内装体係止装置の例として、特許文献１記載の技術が知られている。特許文献１記載の内容体係止装置は、ハンモック及びヘッドバンド装着用の第１の差込片と、第１の差込片の内側に配置される耳あご紐装着用の第２の差込片と、からなる。第１の差込片は、差込本体に一対の第１の弾性係止部材を有する。この一対の第１の弾性係止部材には、それぞれ係止爪と操作部が形成されている。第１の差込片は、ヘルメット本体の縁部付近内面に形成された一対の係止凸部間に差し込むと、一対の係止爪がこの一対の係止凸部に係止され、ヘルメット本体に取り付けられる。また、第１の差込片は、一対の操作部を弾性に抗して互いに近づけると、一対の第１の弾性係止部材が内側に変形し、一対の係止爪が一対の係止凸部の係止位置から非係止位置に移動して係止を解除するので、ヘルメット本体から取り外すことができる。
【０００４】
また、第２の差込片は、差込本体の両側に第２の弾性係止部材を有する。この一対の第２の弾性係止部材には、それぞれ係止爪と係止解除部が形成されている。第２の差込片は、ヘルメット本体の一対の係止凸部間に差し込まれて係止された第１の差込片の内側に配置された時に、一対の係止爪が一対の係止凸部に係止され、ヘルメット本体に取り付けられる。この時、一対の係止解除部は、第１の差込片の一対の操作部に当接する。
【０００５】
第２の差込片は、第１の差込片の一対の操作部を弾性に抗して互いに近づけると、一対の係止解除部が連動して互いに近づき、一対の第２の弾性係止部材が内側に変形し、一対の係止爪が一対の係止凸部の係止位置から非係止位置に移動して係止を解除するので、ヘルメット本体から取り外すことができる。このように、従来の内装体係止装置は、第１の差込片と第２の差込片の係止爪が同時にヘルメット本体の一対の係止凸部に係止され、第１の差込片の操作部を操作することにより、第１の差込片と第２の差込片の係止爪が同時に係止凸部から外れるようになっている。
【先行技術文献】
【特許文献】
【０００６】
【特許文献１】特開２０１１−８９２１４号公報
【発明の概要】
【発明が解決しようとする課題】
【０００７】
上記した従来のヘルメットの内装体係止装置は、ヘルメット本体の一対の係止凸部に第１の差込片と第２の差込片の係止爪が同時に係止されて、ヘルメット本体に取り付けられているので、一対の係止凸部の少なくとも一方が破損した場合若しくは変形した場合、係止爪の係止が解除されて、内装体がヘルメット本体から外れてしまうという問題点があった。内装体がヘルメット本体から外れてしまうと、ハンモックの保護機能が損なわれ、頭部が保護されなくなるという問題点があった。また、耳あご紐がヘルメット本体から外れると、ヘルメット本体自体が頭部から外れてしまい、頭部が保護されなくなるだけではなく作業に支障をきたすという問題点があった。
【０００８】
前述したヘルメット本体の一対の係止凸部の破損、変形等は、ヘルメット本体が上部からの衝撃を受けることにより起こり得る現象である。ヘルメットへの衝撃は、内装体を取り付ける係止装置の一対の係止爪を介して一対の係止凸部に過剰な負荷を与える。一対の係止凸部は、この過剰な負荷により、少なくとも一方が破損又は開く方向に変形する場合がある。一対の係止凸部の少なくとも一方が破損又は変形した場合、内装体係止装置の係止爪が係止凸部に係止されなくなり、内装体がヘルメット本体から外れる。
【０００９】
従来のヘルメットの内装体係止装置は、ハンモック及びヘッドバンド用の第１の差込片と耳あご紐用の第２の差込片が同時に一対の係止凸部に係止されて取り付けられるので、着脱が容易であるが、一対の係止凸部の少なくとも一方が破損又は変形することにより、第１の差込片と第２の差込片が同時にヘルメット本体から外れる。このように、従来のヘルメットの内装体係止装置は、ヘルメット本体への衝撃によりヘルメット本体から外れてしまい、連動して内装体がヘルメット本体から外れ、頭部に対する保護機能が損なわれるという問題点があった。
【００１０】
本願発明は、上記問題点に鑑み案出したものであって、ハンモック装着用の外側差込部材と耳あご紐装着用の内側差込部材の係止を同時に解除することができると共に、外側差込部材と内側差込部材の係止する部位を異ならせしめ、一方が外れても他方が外れないようにしたヘルメットの内装体係止装置を提供することを目的とする。
【課題を解決するための手段】
【００１１】
本願の請求項１に係るヘルメットの内装体係止装置は、ヘルメット本体に内装体を装着するヘルメットの内装体係止装置であって、ハンモック装着用の外側差込部材と、前記外側差込部材の内側に配置される、耳あご紐装着用の内側差込部材と、を備え、前記外側差込部材は、一対の弾性係止部材を有し、前記一対の弾性係止部材は、前記ヘルメット本体の縁部付近内面に形成された一対の係止凸部間に前記外側差込部材を差し込むことによって前記一対の係止凸部に係止される一対の係止部と、前記一対の係止部を素材の弾性に抗して前記一対の係止凸部の係止位置から非係止位置に移動させて係止を解除する一対の操作部と、が形成され、前記内側差込部材は、前記ヘルメット本体の前記一対の係止凸部に前記一対の係止部を介して係止された前記外側差込部材の内側に配置されたときに、前記ヘルメット本体の縁部付近内面に形成された係止突起に係止される弾性係止片を有し、前記一対の弾性係止部材には、前記外側差込部材の一対の操作部の操作により、前記弾性係止片を弾性に抗して前記係止突起の係止位置から非係止位置に移動させて係止を解除する係止解除部が形成されている。
【００１２】
本願の請求項２に係るヘルメットの内装体係止装置は、前記内側差込部材の弾性係止片の両側には、前記係止解除部が当接する傾斜ガイド面がそれぞれ形成され、当該傾斜ガイド面は、前記一対の操作部の操作により、前記係止解除部に押圧され、前記弾性係止片を前記係止位置から前記非係止位置に移動させ、且つ、前記内側差込部材を前記外側差込部材から引き抜く方向に移動させる形状に形成されている。
【００１３】
本願の請求項３に係るヘルメットの内装体係止装置は、前記内側差込部材の両側には、前記一対の操作部が当接する当接縁が形成され、当該当接縁は、前記一対の操作部の操作により、前記操作部に当接し、前記内側差込部材を前記外側差込部材から引き出す方向に移動させる形状に形成されている。
【００１４】
本願の請求項４に係るヘルメットの内装体係止装置は、前記内側差込部材の外縁に一対の第１の係合部が設けられ、前記一対の係止凸部に沿って前記第１の係合部とそれぞれ係合する第２の係合部がそれぞれ設けられている。
【００１５】
本願の請求項５に係るヘルメットの内装体係止装置は、前記第１の係合部は前記内側差込部材の外縁から外方に突出した凸片からなり、前記第２の係合部は前記凸片を受ける係合溝からなる。
【００１６】
本願の請求項６に係るヘルメットの内装体係止装置は、前記外側差込部材は、前記操作部の操作時に当該操作部に当接するように前記外側差込部材の長手方向端縁から突出している一対の阻止片をさらに有する。
【発明の効果】
【００１７】
本願発明に係るヘルメットの内装体係止装置は、ヘルメット本体に内装体を装着するものであって、ハンモック装着用の外側差込部材と、外側差込部材の内側に配置される、耳あご紐装着用の内側差込部材と、を備える。外側差込部材は、一対の弾性係止部材を有する。一対の弾性係止部材は、ヘルメット本体の縁部付近内面に形成された一対の係止凸部間に外側差込部材を差し込むことによって一対の係止凸部に係止される一対の係止部と、一対の係止部を素材の弾性に抗して一対の係止凸部の係止位置から非係止位置に移動させて係止を解除する一対の操作部と、が形成されている。内側差込部材は、ヘルメット本体の一対の係止凸部に一対の係止部を介して係止された外側差込部材の内側に配置されたときに、ヘルメット本体の縁部付近内面に形成された係止突起に係止される弾性係止片を有する。前記一対の弾性係止部材には、前記外側差込部材の一対の操作部の操作により、前記弾性係止片を弾性に抗して係止突起の係止位置から非係止位置に移動させて係止を解除する係止解除部が形成されている。
【００１８】
本願発明に係るヘルメットの内装体係止装置は、ハンモック装着用の外側差込部材を、ヘルメット本体の縁部付近内面に形成された一対の係止凸部間に差し込むと、一対の弾性係止部材の係止部が一対の係止凸部に係止され、外側差込部材を一対の係止凸部間の所定位置でヘルメット本体に取り付けることができる。ヘルメットの内装体係止装置は、一対の操作部を操作すると、一対の係止部が素材の弾性に抗して一対の係止凸部の係止位置から非係止位置に移動し、一対の係止部の係止が解除され、外側差込部材をヘルメット本体から取り出すことができる。このようにして、ヘルメットの内装体係止装置は、ハンモックをヘルメット本体に着脱することができる。
【００１９】
本願発明に係るヘルメットの内装体係止装置は、ハンモック装着用の外側差込部材の内側に耳あご紐装着用の内側差込部材を配置することができる。ヘルメットの内装体係止装置は、ヘルメット本体の一対の係止凸部間に差し込み係止された外側差込部材の内側に、内側差込部材を配置すると、ヘルメット本体の縁部付近内面に形成された係止突起に内側差込部材の弾性係止片が係止され、内側差込部材を外側差込部材の内側に配置された位置でヘルメット本体に取り付けることができる。ヘルメットの内装体係止装置は、外側差込部材の一対の操作部を操作すると、係止解除部が内側差込部材の弾性係止片を弾性に抗して係止突起の係止位置から非係止位置に移動させ、弾性係止片の係止を解除して、内側差込部材をヘルメット本体から取り出すことができる。このようにして、ヘルメットの内装体係止装置は、耳あご紐をヘルメット本体に着脱することができる。ヘルメットの内装体係止装置は、外側差込部材の一対の操作部を操作すると、外側差込部材と内側差込部材がヘルメット本体から外れ、ハンモックと耳あご紐をヘルメット本体から取り外すことができる。
【００２０】
本願発明に係るヘルメットの内装体係止装置は、ハンモック装着用の外側差込部材の一対の係止部をヘルメット本体の一対の係止凸部に係止させ、耳あご紐装着用の内側差込部材の弾性係止片をヘルメット本体の係止突起に係止させて、内装体をヘルメット本体に取り付け、一対の係止凸部の少なくとも一方が破損又は変形して外側差込部材の係止部が外れても、内側差込部材が外れることはなく、内側差込部材がヘルメット本体に係止されていれば、外側差込部材はヘルメット本体から外れることはないので、保護機能が大幅に向上するという効果がある。本願発明に係るヘルメットの内装体係止装置は、外側差込部材の一対の操作部を操作して、外側差込部材と内側差込部材の係止を解除して、ヘルメット本体から外側差込部材と内側差込部材を略同時に取り外すことができ、脱着を極めて簡単に行うことができるという効果がある。本願発明に係るヘルメットの内装体係止装置は、内装体とヘルメット本体との係合性を向上させ、かつ、簡易な操作で内装体を着脱可能な構成となっている。
【００２１】
本願発明に係るヘルメットの内装体係止装置は、前記内側差込部材の弾性係止片の両側に、前記外側差込部材の一対の弾性係止部材に形成された係止解除部が当接する傾斜ガイド面が形成されている。当該傾斜ガイド面は、前記外側差込部材の一対の操作部の操作により、係止解除部に押圧され、弾性係止片を係止位置から非係止位置に移動させ、且つ、内側差込部材を外側差込部材から引き抜く方向に移動させる形状に形成されている。
【００２２】
本願発明に係るヘルメットの内装体係止装置は、一対の弾性係止部材の係止部がヘルメット本体の一対の係止凸部に係止されて、ハンモック装着用の外側差込部材がヘルメット本体に取り付けられる。また、外側差込部材の内側に配置され、弾性係止片がヘルメット本体の係止突起に係止されて、耳あご紐装着用の内側差込部材がヘルメット本体に取り付けられる。ヘルメットの内装体係止装置は、外側差込部材の一対の操作部を操作すると、一対の係止解除部が内側差込部材の弾性係止片の傾斜ガイド面に当接し、弾性係止片を弾性に抗して係止突起の係止位置から非係止位置に移動させ、且つ、内側差込部材を外側差込部材から引き抜く方向に移動させる。本願発明に係るヘルメットの内装体係止装置は、弾性係止片の係止を解除しながら内側差込部材をヘルメット本体から引き抜くので、内側差込部材を容易に取り出すことができ、ヘルメット本体から耳あご紐を簡単に取り外すことができるという効果がある。
【００２３】
本願発明に係るヘルメットの内装体係止装置は、前記内側差込部材の両側に、前記外側差込部材の一対の操作部が当接する当接縁が形成されている。当該当接縁は、前記外側差込部材の一対の操作部の操作により、操作部に当接し、内側差込部材を外側差込部材から引き出す方向に移動させる形状に形成されている。
【００２４】
ヘルメットの内装体係止装置は、外側差込部材の一対の操作部を操作すると、一対の係止解除部が内側差込部材の弾性係止片を弾性に抗して係止突起の係止位置から非係止位置に移動させ、且つ、操作部が内側差込部材の当接縁に当接し、内側差込部材を外側差込部材から引き出す方向に移動させる。本願発明に係るヘルメットの内装体係止装置は、弾性係止片の係止を解除しながら内側差込部材をヘルメット本体から引き出すので、内側差込部材を容易に取り出すことができ、ヘルメット本体から耳あご紐を簡単に取り外すことができるという効果がある。
【図面の簡単な説明】
【００２５】
【図１】本願発明に係るヘルメットの内装体係止装置の一つの実施の形態を示す全体斜視図である。
【図２】図１のヘルメットの内装体係止装置を装着したヘルメットの断面図である。
【図３】図２のヘルメットの構成を内側から視た斜視図である。
【図４】図３のヘルメットの構成を下側から視た下面図である。
【図５】図１のヘルメットの内装体係止装置の外側差込部材を説明する斜視図である。
【図６】図５の外側差込部材を下側から視た下面図である。
【図７】図５の外側差込部材の説明図であって、（ａ）が正面図、（ｂ）が平面図、（ｃ）が底面図、（ｄ）が左側面図、（ｅ）が背面図である。
【図８】図１のヘルメットの内装体係止装置の内側差込部材を説明する斜視図である。
【図９】図８の内側差込部材の説明図であって、（ａ）が正面図、（ｂ）が平面図、（ｃ）が底面図、（ｄ）が左側面図、（ｅ）が背面図である。
【図１０】ヘルメットに外側差込部材を装着する手順を説明する斜視図である。
【図１１】ヘルメットに外側差込部材を装着した状態を説明する斜視図である。
【図１２】ヘルメットに外側差込部材を装着した構成を下側から視た底面図である。
【図１３】外側差込部材に内側差込部材を装着する手順を説明する斜視図である。
【図１４】外側差込部材に内側差込部材を装着した状態を説明する正面図である。
【図１５】外側差込部材に内側差込部材を装着した構成を下側から視た底面図である。
【図１６】外側差込部材から内側差込部材を取り外す手順を説明する説明図である。
【図１７】ヘルメットから外側差込部材を取り外す手順を説明する説明図である。
【図１８】本発明の第２実施例に係る内側差込部材の斜視図である。
【図１９】本発明の第２実施例に係る取付部の斜視図である。
【図２０】同じく取付部の底面図である。
【図２１】本発明の第２実施例に係る内側差込部材及び取付部の正面図であって、外側差込部材を取り除いて示した図である。
【図２２】図２１の線Ａ−Ａに沿った内側差込部材及び取付部の断面図である。
【図２３】本発明の第３実施例に係る外側差込部材の正面図であって、外側差込部材の操作前の状態を示す図である。
【図２４】同じく外側差込部材の正面図であって、外側差込部材の操作時の状態を実線で示し、操作前の状態を破線で示している。
【発明を実施するための形態】
【実施例１】
【００２６】
ヘルメットの内装体係止装置の概要について説明する。図２に示すように、ヘルメット１の内装体係止装置５０は、ヘルメット本体１０に内装体３を装着するものであって、ハンモック５装着用の外側差込部材５１と、外側差込部材５１の内側に配置される、耳あご紐７装着用の内側差込部材８１とからなる。図５に示すように、外側差込部材５１は、一対の弾性係止部材６６，６７を有する。一対の弾性係止部材６６，６７は、図１，３に示すように、ヘルメット本体１０の縁部１０ａ付近内面に形成された一対の係止凸部２０，４０間に外側差込部材５１を差し込むことによって一対の係止凸部２０，４０に係止される一対の係止部（係止爪）７２，７３と、一対の係止部７２，７３を素材の弾性に抗して一対の係止凸部２０，４０の係止位置から非係止位置に移動させて係止を解除する一対の操作部７７，７８とが形成されている。
【００２７】
内側差込部材８１は、図１，８に示すように、ヘルメット本体１０の一対の係止凸部２０，４０に一対の係止部７２，７３が係止された外側差込部材５１の内側に押し込んで配置された時に、ヘルメット本体１０の縁部１０ａ付近内面に形成された係止突起２５に係止される弾性係止片９１を有する。前記一対の弾性係止部材６６，６７の少なくとも一方には、図１，５に示すように、前記外側差込部材５１の一対の操作部７７，７８の操作により、前記弾性係止片９１を弾性に抗して係止突起２５の係止位置から非係止位置に移動させて係止を解除する係止解除部（係止解除突起）７５，７６が形成されている。
【００２８】
ヘルメット１の内装体係止装置５０は、図１に示すように、ハンモック５装着用の外側差込部材５１を、ヘルメット本体１０の縁部１０ａ付近内面に形成された一対の係止凸部２０，４０間に差し込むと、一対の弾性係止部材６６，６７の係止部７２，７３が一対の係止凸部２０，４０に係止され、外側差込部材５１を一対の係止凸部２０，４０間の所定位置でヘルメット本体１０に取り付けることができる。ヘルメット１の内装体係止装置５０は、図１７に示すように、一対の操作部７７，７８を操作すると、一対の係止部７２，７３が素材の弾性に抗して一対の係止凸部２０，４０の係止位置から非係止位置に移動し、一対の係止部７２，７３の係止が解除され、外側差込部材５１をヘルメット本体１０から取り出すことができる。このようにして、ヘルメット１の内装体係止装置５０は、ハンモック５をヘルメット本体１０に着脱することができる。
【００２９】
ヘルメット１の内装体係止装置５０は、図１に示すように、ハンモック５装着用の外側差込部材５１の内側に耳あご紐７装着用の内側差込部材８１を配置することができる。ヘルメットの内装体係止装置５０は、図１３に示すように、ヘルメット本体１０の一対の係止凸部２０，４０間に差し込み係止された外側差込部材５１の内側に、内側差込部材８１を配置すると、図１に示すように、ヘルメット本体１０の縁部１０ａ付近内面に形成された係止突起２５に内側差込部材８１の弾性係止片９１が係止され、内側差込部材８１を外側差込部材５１の内側に配置された位置でヘルメット本体１０に取り付けることができる。
【００３０】
ヘルメットの内装体係止装置５０は、図１６に示すように、外側差込部材５１の一対の操作部７７，７８を操作すると、係止解除部７５，７６が内側差込部材８１の弾性係止片９１を弾性に抗して係止突起２５の係止位置から非係止位置に移動させ、弾性係止片９１の係止を解除して、内側差込部材８１をヘルメット本体１０から取り出すことができる。このようにして、ヘルメット１の内装体係止装置５０は、耳あご紐７をヘルメット本体１０に着脱することができる。即ち、ヘルメット１の内装体係止装置５０は、外側差込部材５１の一対の操作部７７，７８を操作すると、外側差込部材５１と内側差込部材８１がヘルメット本体１０から外れ、ハンモック５と耳あご紐７をヘルメット本体１０から取り外すことができる。
【００３１】
ヘルメット１の内装体係止装置５０は、図１に示すように、ハンモック５装着用の外側差込部材５１の一対の係止部７２，７３をヘルメット本体１０の一対の係止凸部２０，４０に係止させ、耳あご紐７装着用の内側差込部材８１の弾性係止片９１をヘルメット本体１０の係止突起２５に係止させて、内装体３がヘルメット本体１０に取り付けられている。ヘルメット１の内装体係止装置５０は、一対の係止凸部２０，４０の少なくとも一方が破損又は変形して外側差込部材５１の係止部７２又は７３が外れても、内側差込部材８１が係止突起２５から外れることはないので、内側差込部材８１がヘルメット本体１０に係止されていれば、外側差込部材５１がヘルメット本体１０から外れることはない。従って、ヘルメット１の内装体係止装置５０は、保護機能が大幅に向上している。
【００３２】
ヘルメット１の内装体係止装置５０は、外側差込部材５１の一対の操作部７７，７８を操作して、外側差込部材５１と内側差込部材８１の係止を解除でき、ヘルメット本体１０から外側差込部材５１と内側差込部材８１を略同時に取り外すことができるので、脱着が極めて簡単に行うことができる。このように、ヘルメット１の内装体係止装置５０は、内装体３とヘルメット本体１０の保持性を向上させ、かつ、簡易な操作で着脱可能な構成となっている。
【００３３】
ヘルメット１の内装体係止装置５０は、図８、９に示すように、前記内側差込部材８１の弾性係止片９１の両側に、前記外側差込部材５１の一対の弾性係止部材６６，６７に形成された係止解除部７５，７６が当接する傾斜ガイド面１０１，１０２が形成されている。当該傾斜ガイド面１０１，１０２は、前記外側差込部材５１の一対の操作部７７，７８の操作により、係止解除部７５，７６に押圧され、弾性係止片９１を係止位置から非係止位置に移動させ、且つ、内側差込部材８１を外側差込部材５１から引き抜く方向に移動させる形状に形成されている。
【００３４】
ヘルメット１の内装体係止装置５０は、一対の弾性係止部材６６，６７の係止部７２，７３がヘルメット本体１０の一対の係止凸部２０，４０に係止されて、ハンモック装着用の外側差込部材５１がヘルメット本体１０に取り付けられる。また、外側差込部材５１の内側に配置され、弾性係止片９１がヘルメット本体１０の係止突起２５に係止されて、耳あご紐装着用の内側差込部材８１がヘルメット本体１０に取り付けられる。
【００３５】
ヘルメット１の内装体係止装置５０は、外側差込部材５１の一対の操作部７７，７８を操作すると、一対の係止解除部７５，７６が内側差込部材８１の弾性係止片９１の傾斜ガイド面１０１，１０２と当接し、弾性係止片９１を弾性に抗して係止突起２５の係止位置から非係止位置に移動させ、且つ、内側差込部材８１を外側差込部材５１から引き抜く方向に移動させる。ヘルメット１の内装体係止装置５０は、弾性係止片９１の係止を解除しながら内側差込部材８１をヘルメット本体１０から引き抜くので、内側差込部材８１を容易に取り出すことができ、ヘルメット本体１０から耳あご紐７を簡単に取り外すことができる。
【００３６】
ヘルメット１の内装体係止装置５０は、前記内側差込部材８１の両側に、前記外側差込部材５１の一対の弾性係止部材６６，６７に形成された操作部７７，７８が当接する当接縁８４ｃ，８４ｄが形成されている。当該当接縁８４ｃ，８４ｄは、前記外側差込部材５１の一対の操作部７７，７８の操作により、操作部７７，７８に当接し、内側差込部材８１を外側差込部材５１から引き出す方向に移動させる形状に形成されている。
【００３７】
ヘルメット１の内装体係止装置５０は、外側差込部材５１の一対の操作部７７，７８を操作すると、一対の係止解除部７５，７６が内側差込部材８１の弾性係止片９１を弾性に抗して係止突起２５の係止位置から非係止位置に移動させ、且つ、操作部７７，７８が内側差込部材８１の当接縁８４ｃ，８４ｄに当接し、内側差込部材８１を外側差込部材５１から引き出す方向に移動させる。ヘルメット１の内装体係止装置５０は、弾性係止片９１の係止を解除しながら内側差込部材８１をヘルメット本体１０から引き出すので、内側差込部材８１を容易に取り出すことができ、ヘルメット本体１０から耳あご紐７を簡単に取り外すことができる。
【００３８】
さらに、ヘルメットの内装体係止装置について、詳細に説明する。まず、ヘルメット１について説明する。ヘルメット１は、図１，２に示すように、ヘルメット本体１０と、ヘルメット本体１０に取り付けられる内装体３とからなる。内装体３は、衝撃を吸収する機能を持つハンモック５と、ヘルメット１を頭部に装着するためのヘッドバンド６と、ヘルメット１が着用者の頭部から脱落することを防止するための耳あご紐７とからなっている。ヘルメット本体１０は、この内装体３を取り付ける内装体係止装置５０を有する。
【００３９】
図２に示すように、ヘルメット本体１０の外周縁１０ａ近傍の内面には、内装体係止装置５０を着脱可能に挿着する取付部１１が形成されている。この取付部１１は、ヘルメット本体１０の周囲４カ所に設けられている。取付部１１は、図３，４に示すように、所定間隔開けて形成された一対のガイド部１２，３２と、係止突起２５とからなる。ちなみに、図３は、ヘルメット本体１０の構成を外側から視た透視斜視図である。ガイド部１２，３２は、前部ガイド壁１５，３５と、後部ガイド壁１６，３６と、上壁１７，３７とで形成されている。
【００４０】
図４に示すように、前部ガイド壁１５，３５は、前壁１３，３３と側壁１４，３４によって略Ｌ字状に形成されている。後部ガイド壁１６，３６は、前壁１３，３３の先端ガイド縁１３ａ，３３ａの後部であって、先端ガイド縁１３ａ，３３ａと略平行に形成されている。上壁１７，３７は、前部ガイド壁１５，３５と後部ガイド壁１６，３６の上端に形成されている。前部ガイド壁１５，３５の前壁１３，３３と後部ガイド壁１６，３６の間には、ガイド溝１８，３８が形成されている。
【００４１】
一対の後部ガイド壁１６，３６の対向する面（内面）の下端には、係止凸部２０，４０が設けられている。係止凸部２０，４０は、矩形体状に形成され、前面側にガイド面２１，４１が設けられている。左側のガイド部１２の上壁１７の略中央には、側壁１４と略平行の規制片２２が形成されている。右側のガイド部３２の上壁３７の略中央には、側壁３４と略平行の規制片４２が形成されている。規制片２２，４２は、側壁１４，３４の略半分の長さとなっている。また係止突起２５は、一対の係止凸部２０，４０の略中央に突設形成されている。係止突起２５は、矩形体状に形成され、下方から上方に向かって前面側に肉厚となる傾斜ガイド面２６が形成されている。
【００４２】
次に内装体係止装置について説明する。内装体係止装置５０は、図１に示すように、ハンモック（ハンモックベルト）５及びヘッドバンド６装着用の外側差込部材（第１の差込片）５１と、耳あご紐７装着用の内側差込部材（第２の差込片）８１とからなる。外側差込部材５１は、図５乃至７に示すように、合成樹脂により一体成形され、装着板５２と差込板６２とで構成されている。装着板５２は、平板状に形成され、上部にヘッドバンド６を取り付けるバンド取付部５３が設けられ、下部にハンモック５を取り付けるベルト取付部５５が設けられている。バンド取付部５３には、合成樹脂で形成されたヘッドバンド６を係止する係止孔５４が複数形成されている。ベルト取付部５５には、ハンモック５の幅と略同幅の、ハンモック５を挿通する一対の挿通口５６，５７が形成されている。
【００４３】
外側差込部材５１の差込板６２は、平板状に形成され、前記装着板５２の下端後面に上端前部が一体的に連設されて形成されている。差込板６２の前面には、装着板５２の後面にまで連続するガイド壁６３，６４が両側に形成されている。ガイド壁６３と６４の間の長さは、前記した取付部１１の前壁１３の先端ガイド縁１３ａと前壁３３の先端ガイド縁３３ａ間と略同じであり、図１４に示すように、左側のガイド壁６３が先端ガイド縁１３ａに案内され、右側のガイド壁６４が先端ガイド縁３３ａに案内される。差込板６２の下部両側には、阻止片６５ａ，６５ｂが形成されている。
【００４４】
図５に示すように、差込板６２の後面には、一対の弾性係止部材６６，６７が設けられている。差込板６２の後面上部には、ストッパー片６５が形成されている。前記一対の弾性係止部材６６，６７は、上端がストッパー片６５に一体的に連結成形された係止杆６８，６９と、係止杆６８，６９の下端に略直角に形成された操作杆７０，７１とからなる。係止杆６８は、一方の側（図５右側）に係止爪７２が形成され、他方の側（図５左側）に係止解除突起７５が形成されている。また、係止杆６９は、一方の側（図５右側）に係止解除突起７６が形成され、他方の側（図５左側）に係止爪７３が形成されている。このように、係止杆６８，６９は、外側に係止爪（係止部）７２，７３が形成され、内側に係止解除突起（係止解除部）７５，７６が形成されている。また、操作杆７０，７１は、係止杆６８，６９の外側に屈曲しており、端部に操作片７７，７８が形成されている。
【００４５】
図７に示すように、一対の弾性係止部材６６，６７は、差込板６２と略平行に配置され、差込板６２側の面（前面）が平坦となっており、当該平坦面６６ａ，６７ａと差込板６２の後面のと間に収納スペース７９が形成されている。操作片７７，７８は、操作杆７０，７１と略直角の摘み部７７ａ，７８ａと、差込板６２の前面と略平行の案内部７７ｂ，７８ｂとで略Ｌ字状に形成されている。前記摘み部７７ａ，７８ａは差込板６２の阻止片６５ａ，６５ｂの外側に位置し、案内部７７ｂ，７８ｂは阻止片６５ａ，６５ｂの前側に位置する。
【００４６】
耳あご紐装着用の内側差込部材８１は、図８，９に示すように、平板状に形成され、差込本体８２と、差込本体８２の下端部に形成された装着板８３とからなる。装着板８３には、耳あご紐７を連結するための連結口８５が形成されている。装着板８３は、差込本体８２より幅広に形成され、図８において、左側に傾斜ガイド縁８４ａと当接縁８４ｃが形成され、右側に傾斜ガイド縁８４ｂと当接縁８４ｄが形成されている。傾斜ガイド縁８４ａ，８４ｂは、上部が差込本体８２の下端８２ａ，８２ｂにそれぞれ接続され、この上部から下部に向かって幅広くなるように形成されている。また、当接縁８４ｃ，８４ｄは、上部が傾斜ガイド縁８４ａ，８４ｂの下部に接続され、この上部から下部に向かってさらに幅広くなるように形成されている。
【００４７】
差込本体８２は、略コ字状の切り欠き８６によって形成された弾性係止片９１を有する。弾性係止片９１は、上端縁９１ａが差込本体８２に接続されており、差込本体８２の後面８２ｄ側に突出形成されている。この弾性係止片９１は、中央部の上下方向に向かって形成されたスライド部９２と、スライド部９２の左右両側に設けられたガイド部９３，９６とからなる。スライド部９２の後面には、上端縁９１ａから下端縁９１ｂに向かって後方に傾斜するスライド傾斜面９２ａが形成されている。
【００４８】
ガイド部９３，９６は、外側面に第１の傾斜面９４，９７が形成されている。第１の傾斜面９４，９７は、前端縁９４ａ，９７ａを底辺として、後端縁中央９４ｂ，９７ｂを頂点とした略三角形状に形成されている。第１の傾斜面９４，９７は、前端縁９４ａ，９７ａから後端縁中央９４ｂ，９７ｂに向かって面が互いに近付くように傾斜している。即ち、第１の傾斜面９４，９７は、前端縁９４ａ，９７ａが外側に位置し、後端縁中央９４ｂ，９７ｂが内側に位置し、面が外側の前端縁９４ａ，９７ａから内側の後端縁中央９４ｂ，９７ｂに向かって傾斜している。また、ガイド部９３，９６は、後面に上端縁９１ａから後端縁中央９４ｂ，９７ｂに向かって後方に傾斜する第２の傾斜面９５，９８が形成されている。また、ガイド部９３，９６は、第２の傾斜面９５，９８の下側に平坦面９９，１００が設けられている。
【００４９】
また、前記平坦面９９，１００の外側には、傾斜ガイド面１０１，１０２が形成されている。傾斜ガイド面１０１，１０２は、前記第１の傾斜面９４，９７を形成する下側の稜線９４ｃ，９７ｃから平坦面９９，１００に向かって内側に近付くように傾斜し、平坦面９９，１００と交差する。傾斜ガイド面１０１，１０２は、平坦面９９，１００と交差する稜線１０１ａ，１０２ａと、稜線１０１ａ，１０２ａの下端と、前記第１の傾斜面９４，９７の稜線９４ｃ，９７ｃの下端を結ぶ稜線１０１ｂ，１０２ｂとを有する。従って、傾斜ガイド面１０１，１０２は、稜線１０１ａ，１０２ａと、稜線９４ｃ，９７ｃと、稜線１０１ｂ，１０２ｂによって略三角形状に形成される。稜線１０１ａ，１０２ａは、下端から後端縁中央９４ｂ，９７ｂに向かって互いに近付くように（外側から内側に向かって）傾斜し、稜線１０１ｂ，１０２ｂは、前端から後端に向かって互いに近付くように（外側から内側に向かって）傾斜している。そのため、傾斜ガイド面１０１，１０２は、外側の下部稜線１０１ｂ，１０２ｂから、内側の後端縁中央９４ｂ，９７ｂに向かって傾斜している。
【００５０】
差込本体８２の後面８２ｄ上端には、一対の逆入れ防止突起８５ａ，８５ｂが形成されている。また、差込本体８２の後面８２ｄの左右両側には、ガイド凸条８７，８８が設けられている。差込本体８２の前面８２ｃ下部両側には、案内突起８９ａ，８９ｂが形成されている。
【００５１】
ヘルメットの内装体係止装置５０は、以上の構成を有し、ヘルメット本体１０に以下のように取り付けられる。図１０に示すように、内装体係止装置５０の外側差込部材５１を取付部１１の一対のガイド部１２，３２間に下方から差し込む。図１１に示すように、外側差込部材５１は、差込板６２の左右両側がガイド部１２，３２のガイド溝１８，３８に案内され、差込板６２の側端部６２ａ，６２ｂがガイド部１２，３２の規制片２２，４２にそれぞれ当接し、差込板６２の上端６２ｃがガイド部１２，３２の上壁１７，３７に当接し、弾性係止部材６６，６７の係止爪７２，７３がガイド部１２，３２の係止凸部２０，４０に係止する。
【００５２】
係止爪７２，７３と係止凸部２０，４０の係止は、次のように行われる。図１７（ｃ）に示すように、内装体係止装置５０の外側差込部材５１を取付部１１の一対のガイド部１２，３２間に下方から差し込むと、弾性係止部材６６，６７の係止爪７２，７３がガイド部１２，３２の係止凸部２０，４０に接触し、図１７（ｂ）に示すように、係止爪７２，７３が互いに近付くように、弾性係止部材６６，６７が内側に撓む。図１７（ａ）に示すように、弾性係止部材６６，６７の係止爪７２，７３がガイド部１２，３２の係止凸部２０，４０を通過すると、弾性復元力により弾性係止部材６６，６７が元の状態に戻り、係止爪７２，７３が係止凸部２０，４０に係止する。
【００５３】
外側差込部材５１は、図１１に示すように、差込板６２の後方への移動が後部ガイド壁１６，３６によって阻止され、差込板６２の前方への移動が前部ガイド壁１５，３５によって阻止され、差込板６２の左方向への移動が規制片２２によって案内され、差込板６２の右方向への移動が規制片４２によって阻止され、差込板６２の上方への移動が上壁１７，３７によって阻止され、差込板６２の下方への移動が係止凸部２０，４０によって阻止され、ヘルメット本体１０に安定して装着することができる。なお、図１４に示すように、外側差込部材５１は、差込板６２の前面に形成されたガイド壁６３，６４が取付部１１の前壁１３の先端ガイド縁１３ａと前壁３３の先端ガイド縁３３ａにガイドされている。このようにして、ヘルメット本体１０にハンモック５とヘッドバンド６が取り付けられる。
【００５４】
次に、図１３に示すように、内装体係止装置５０の内側差込部材８１を、取付部１１に装着した外側差込部材５１の収納スペース７９内に差し込む。図１に示すように、内側差込部材８１は、差込本体８２の前面８２ｃが外側差込部材５１の差込板６２に当接し、差込本体８２の後面８２ｄが一対の弾性係止部材６６，６７の平坦面６６ａ，６７ａに当接し、差込本体８２の側端部８２ｅ，８２ｆがガイド部１２，３２の後部ガイド壁１６，３６にそれぞれ当接し、差込本体８２の上端８２ｇが外側差込部材５１のストッパー片６５に当接し、差込本体８２の弾性係止片９１が係止突起２５に係止する。前記一対の弾性係止部材６６，６７の係止解除突起７５，７６は、図１に示すように、内側差込部材８１の弾性係止片９１の両側に形成された傾斜ガイド面１０１，１０２の下部に当接する。
【００５５】
内側差込部材８１は、弾性係止片９１がヘルメット本体１０の係止突起２５側に向くように差し込む。内側差込部材８１は、弾性係止片９１がヘルメット本体１０の係止突起２５側に向かないで差し込もうとしても、逆入れ防止突起８５ａ，８５ｂが外側差込部材５１の下端６２ｄに当接するので、差し込むことができない。従って、内側差込部材８１は、差込方向を間違えることがない。
【００５６】
弾性係止片９１と係止突起２５の係止は、次のように行われる。内装体係止装置５０の内側差込部材８１を、ヘルメット本体１０の取付部１１に装着した外側差込部材５１の収納スペース７９内に差し込む。弾性係止片９１は、スライド傾斜面９２ａが係止突起２５に接触して前方に撓む。弾性係止片９１が係止突起２５を通過すると、弾性復元力により弾性係止片９１が元の状態に戻り、弾性係止片９１が係止突起２５に係止する。
【００５７】
内側差込部材８１は、図１に示すように、差込本体８２の後方への移動が一対の弾性係止部材６６，６７によって阻止され、差込本体８２の前方への移動が外側差込部材５１の差込板６２によって阻止され、差込本体８２の左方向への移動が後部ガイド壁１６によって阻止され、差込本体８２の右方向への移動が後部ガイド壁３６によって阻止され、差込本体８２の上方への移動がストッパー片６５によって阻止され、差込本体８２の下方への移動が係止突起２５によって阻止され、ヘルメット本体１０に安定して装着することができる。このようにして、ヘルメット本体１０に耳あご紐７が取り付けられる。
【００５８】
ヘルメットの内装体係止装置５０は、ヘルメット本体１０から次のようにして取り外すことができる。図１６（ａ）に示すように、操作片７７，７８の摘み部７７ａ，７８ａを互いに近付けるように外側差込部材５１の弾性係止部材６６，６７を内側に撓ませる。摘み部７７ａ，７８ａは、差込板６２の阻止片６５ａ，６５ｂに当接するまで撓ませることができる。
【００５９】
図１６（ｂ）に示すように、係止解除突起７５，７６が内側差込部材８１の弾性係止片９１の傾斜ガイド面１０１，１０２を押圧する。弾性係止片９１は、前方に撓みながら下方に移動し、係止突起２５から外れる。図１６（ｃ）に示すように、係止解除突起７５，７６が弾性係止片９１の第１の傾斜面９４，９７の後端縁中央９４ｂ，９７ｂに位置すると、第２の傾斜面９５，９８により係止解除突起７５，７６が第１の傾斜面９４，９７から外れ、内側差込部材８１が外側差込部材５１から飛び出る。図１６（ｄ）に示すように、摘み部７７ａ，７８ａが内側差込部材８１の当接縁８４ｃ，８４ｄ及び／又は傾斜ガイド縁８４ａ，８４ｂに当接し、内側差込部材８１を外側差込部材５１から引き出す。このようにして、ヘルメット本体１０から内側差込部材８１を取り外すことができる。
【００６０】
次に、図１７（ａ）に示すように、操作片７７，７８の摘み部７７ａ，７８ａを互いに近付けるように外側差込部材５１の弾性係止部材６６，６７を内側に撓ませる。図１７（ｂ）に示すように、係止爪７２，７３が係止凸部２０，４０から外れる。図１７（ｃ）に示すように、外側差込部材５１をヘルメット本体１０の取付部１１から引き出す。このようにして、ヘルメット本体１０から外側差込部材５１を取り外すことができる。
【００６１】
上記説明では、ヘルメットの内装体係止装置５０は、内側差込部材８１をヘルメット本体１０から取り外してから、次に外側差込部材５１をヘルメット本体１０から取り外した。しかし、操作片７７，７８の摘み部７７ａ，７８ａを互いに近付けるようにして、略同時に内側差込部材８１と外側差込部材５１をヘルメット本体１０から取り外すこともできる。なお、ヘルメットの内装体係止装置５０は、内側差込部材８１がヘルメット本体１０に取り付けられた状態で、外側差込部材５１のみをヘルメット本体１０から取り外すことができない。外側差込部材５１は、係止凸部２０，４０に係止してヘルメット本体１０に取り付けられ、内側差込部材８１は係止突起２５に係止してヘルメット本体１０に取り付けられている。外側差込部材５１は、係止凸部２０，４０の少なくとも一方が破損若しくは変形して、係止が解除されたとしても、内側差込部材８１が係止突起２５に係止されているので、ヘルメット本体１０から外れてしまうことがない。
【実施例２】
【００６２】
次に、図１８〜２２を参照して、本発明に係る内装体係止装置５０の第２の実施例について説明する。なお、上述した第１の実施例と同一の構成要素には同一の符号を付し、重複する説明を省略する。また、図１８，１９の姿勢を基準として、「上」、「下」、「左」及び「右」というものとし、ヘルメット本体１０の内側を「前」、外側を「後」というものとする。
【００６３】
図１８は、本発明の第２実施例に係る内側差込部材１８１の斜視図である。内側差込部材１８１は、第１実施例の内側差込部材８１と基本的に同一の構成であり、弾性係止片９１を有する差込本体８２と、差込本体８２の下方に位置し幅広に形成された装着板８３と、からなる。内側差込部材１８１は、互いに平行をなす上端８２ｇ及び下端８４ｅと、上端８２ｇ及び下端８４ｅと直交する一対の側端部８２ｅ，８２ｆと、側端部８２ｅ，８２ｆと下端８４ｅとの間にそれぞれ形成された傾斜ガイド縁８４ａ，８４ｂ及び当接縁８４ｃ，８４ｄと、を有する。
【００６４】
差込本体８２の後面８２ｄには、側端部８２ｅ，８２ｆに沿ってガイド凸条８７，８８がそれぞれ突設されている。ガイド凸条８７，８８は、上端８２ｇから下方に所定の間隔を隔てた位置から差込本体８２の下端８２ａ，８２ｂ（図８参照）まで延びている。さらに、本実施例では、ガイド凸条８７，８８に連続して、装着板８３の後面８３ａに第２ガイド凸条１２６，１２７及び第３ガイド凸条１２８，１２９がそれぞれ突設されている。第２ガイド凸条１２６，１２７は、傾斜ガイド縁８４ａ，８４ｂに沿ってそれぞれ突設されている。第３ガイド凸条１２８，１２９は、当接縁８４ｃ，８４ｄに沿ってそれぞれ突設されているとともに、下端８４ｅの両端部に沿って部分的にそれぞれ突設されている。ガイド凸条８７，８８、第２ガイド凸条１２６，１２７及び第３ガイド凸条１２８，１２９は、同一の厚さを有している。
【００６５】
さらに、ガイド凸条８７，８８の下端と第２ガイド凸条１２６，１２７の上端とに亘って凸片１３０，１３１（第１の係合部）がそれぞれ突設されている。各々の凸片１３０，１３１は、側端部８２ｅ，８２ｆ及び傾斜ガイド縁８４ａ，８４ｂから外側に突出しており、上端８２ｇと平行をなす上端部１３６と、この上端部１３６と直交する側端部１３７と、を有している。各々の凸片１３０，１３１は、ガイド凸条８７，８８，１２６，１２７，１２８，１２９の略半分の厚さを有している（図２２参照）。凸片１３０，１３１は、内側差込部材１８１の前後方向及び上方への移動を抑制するように、後述する取付部１１１の係合溝１４２，１４３内に収容される。
【００６６】
さらに、内側差込部材１８１は、図１８に示すように、上端８２ｇの両端部にそれぞれ突設された突起部１３８，１３９を有する。突起部１３８，１３９は、内側差込部材１８１を外側差込部材５１内に挿入して上端８２ｇがストッパー片６５に当接したときに、ストッパー片６５の両端部を側方から挟み込むように、上端８２ｇから所定の高さに亘って延在している。
【００６７】
次に、図１９，２０を参照して、本発明の第２実施例にかかる取付部１１１について説明する。図１９は、取付部１１１の斜視図であり、図２０は、取付部１１１の底面図である。ヘルメット本体１０に設けられた取付部１１１は、第１実施例の取付部１１と基本的に同一の構成であり、前部ガイド壁１５，３５と、後部ガイド壁１６，３６と、上壁１７，３７と、からそれぞれ形成された一対のガイド部１２，３２を有している。前部ガイド壁１５，３５は、前壁１３，３３をそれぞれ有している。後部ガイド壁１６，３６の下端１６ａ，３６ａには、係止凸部２０，４０がそれぞれ設けられている。各々の係止凸部２０，４０は、矩形体状をなしており、後部ガイド壁１６，３６から内側、すなわち対向する他方の係止凸部２０，４０に向けて突出している。係止凸部２０，４０は、前壁１３，３３と略平行をなすガイド面２１，４１を前面側に有している。
【００６８】
さらに、後部ガイド壁１６，３６の下端１６ａ，３６ａには、内側差込部材１８１の凸片１３０，１３１をそれぞれ受ける係合溝１４２，１４３（第２の係合部）が、係止凸部２０，４０に沿ってそれぞれ形成されている。図１９に示すように、係合溝１４２，１４３は、所定の高さに亘って下端１６ａ，３６ａから上方に向けて延びている。係合溝１４２，１４３の上下方向の寸法は、凸片１３０，１３１の上下方向の寸法に対応するように設定されている。また、係合溝１４２，１４３の前後方向の寸法は、凸片１３０，１３１の前後方向の寸法すなわち厚さに対応するように設定されている。図２０に示すように、各々の係合溝１４２，１４３は、上壁１７，３７とそれぞれ平行をなす底面すなわち当接面１４２ａ，１４３ａをそれぞれ有している。当接面１４２ａ，１４３ａは、内側差込部材１８１を取付部１１１に対して取り付けたときに、凸片１３０，１３１の上端部１３６が当接する面である。また、係合溝１４２，１４３の一方の内側面は、係止凸部２０，４０のガイド面２１，４１と連続している。
【００６９】
さらに、図１９に示すように、本実施例では、前壁１３，３３と、ヘルメット本体１０との間に形成された規制片２２，４２は、第１実施例（図３参照）の規制片２２，４２と比べて長くなっており、差込板６２の側端部６２ａ，６２ｂがより広範囲にわたって規制片２２，４２に当接するように、前壁１３，３３の下端近傍まで延びている。
【００７０】
また、ヘルメット本体１０において、上壁１７，３７の上方には、後方（ヘルメット本体１０の外側）に向けた外側差込部材５１（特に装着板５２）の移動を抑制する一対の凸部１４６，１４７が突設されている。凸部１４６，１４７は、外側差込部材５１のガイド壁６３，６４にそれぞれ対応するように所定の間隔を隔てて互いに離間しており、外側差込部材５１を取付部１１１に対して取り付けたときに、ガイド壁６３，６４にそれぞれ当接する位置に設けられている。
【００７１】
次に、図２１，２２を参照して、取付部１１１に対する内側差込部材１８１の取り付けについて説明する。図２１は、本発明の第２実施例に係る内側差込部材１８１及び取付部１１１の正面図であり、両者の関係を明確にするために外側差込部材５１を省略して示している。図２２は、図２１の線Ａ−Ａに沿った内側差込部材１８１及び取付部１１１の断面図である。
【００７２】
まず、第１実施例と同様に、取付部１１１に外側差込部材５１を取り付ける。次いで、上端８２ｇが外側差込部材５１のストッパー片６５に当接するまで、内側差込部材１８１を外側差込部材５１に差し込む。このとき、凸片１３０，１３１は、取付部１１１の係合溝１４２，１４３内に収容され、凸片１３０，１３１の上端部１３６が係合溝１４２，１４３の当接面１４２ａ，１４３ａに当接する。
【００７３】
このように、本実施例によれば、取付部１１１に係合溝１４２，１４３を形成し、内側差込部材１８１に凸片１３０，１３１を突設したことにより、内側差込部材１８１を取付部１１１に対して取り付けたときに、凸片１３０，１３１が係合溝１４２，１４３と係合するため、内側差込部材１８１の前後方向及び上方への移動が抑制される。従って、内側差込部材１８１ひいては耳あご紐７を取付部１１１すなわちヘルメット本体１０に確実に保持することができる。
【００７４】
さらに、本実施例によれば、内側差込部材１８１の上端８２ｇに突起部１３８，１３９を設けたことにより、内側差込部材１８１を外側差込部材５１に対して取り付けたときに、内側差込部材１８１の左右方向への移動を抑制することができる。
【００７５】
また、本実施例によれば、規制片２２，４２を前壁１３，３３の下端近傍まで延長させたことにより、差込板６２の側端部６２ａ，６２ｂがより広範囲にわたって規制片２２，４２に当接する。したがって、内装体係止装置５０を取付部１１１に対して取り付けたときに、外側差込部材５１ひいては内側差込部材１８１の左右方向への移動を抑制することができる。
【００７６】
さらに、ヘルメット本体１０に一対の凸部１４６，１４７を突設したことにより、内装体係止装置５０を取付部１１１に対して取り付けたときに、外側差込部材５１ひいては内側差込部材１８１のヘルメット本体１０の外側への移動を抑制することができる。
【実施例３】
【００７７】
次に、図２３，２４を参照して、本発明に係る内装体係止装置５０の第３実施例について説明する。図２３，２４は、本実施例の外側差込部材１５１の正面図であり、図２３は、操作片７７，７８を操作する前の状態を示しており、図２４は、操作片７７，７８の操作時の状態を実線で示し、操作する前の状態を破線で示している。
【００７８】
本実施例の外側差込部材１５１は、第１実施例の外側差込部材５１と基本的に同一の構成であり、図２３に示すように、装着板５２と、差込板６２と、を有する。差込板６２は、長辺に沿った上端６２ｃ及び下端６２ｄと、短辺に沿った一対の側端部６２ａ，６２ｂと、を有している。各々の側端部６２ａ，６２ｂは、階段状をなしており、下端６２ｄ側が上端６２ｃ側よりも一段低くなっている。このため、差込板６２は、下端６２ｄ側が上端６２ｃ側よりも相対的に幅が狭くなっている。差込板６２の後面には、係止杆６８，６９及び係止杆６８，６９からなる一対の弾性係止部材６６，６７が設けられている。係止杆６８，６９の下端に設けられた操作杆７０，７１は、下端６２ｄと略平行に設けられており、下端６２ｄを部分的に覆うようにして外側に向けて延びている。
【００７９】
下端６２ｄ（外側差込部材１５１の長手方向端縁）の両端部に阻止片１６５ａ，１６５ｂがそれぞれ突設されている。阻止片１６５ａ，１６５ｂは、操作片７７，７８の操作時に操作片７７，７８に当接するように下端６２ｄから突出しており、操作片７７，７８の所定量を超えた内側（図２４の矢印Ａ，Ｂの方向）への移動を阻止する。阻止片１６５ａ，１６５ｂの外側面１５２，１５３は、下端６２ｄ側の幅狭の側端部６２ａ，６２ｂとそれぞれ連続しており、下端６２ｄと直交している。一方、阻止片１６５ａ，１６５ｂの外内側面１５４，１５５は、外側面１５２，１５３に対して所定の角度で傾斜しており、このため、阻止片１６５ａ，１６５ｂは、先端１５６，１５７に向けて先細になっている。図２３に示すように、操作片７７，７８の操作前の状態では、各々の阻止片１６５ａ，１６５ｂは、摘み部７７ａ，７８ａから所定の間隔を隔てて離間している。
【００８０】
本実施例の阻止片１６５ａ，１６５ｂは、第１実施例の阻止片６５ａ，６５ｂ（図５，１７参照）よりも、下端６２ｄからの長さが相対的に長くなっている。阻止片１６５ａ，１６５ｂの長さは、操作片７７，７８の操作時に操作片７７，７８（摘み部７７ａ，７８ａ）が阻止片１６５ａ，１６５ｂを乗り越えない長さに設定されている。具体的には、図２３，２４に示すように、操作片７７，７８の操作前及び操作時の双方の状態において、操作片７７，７８の先端１５６，１５７を含む下端側が操作杆７０，７１の下端面７０ａ，７１ａ及び操作片７７，７８の摘み部７７ａ，７８ａの下端面１５８，１５９からそれぞれ突出するように、阻止片１６５ａ，１６５ｂの長さが設定されている。
【００８１】
このように、本実施例によれば、阻止片１６５ａ，１６５ｂを長手方向に延長させたことにより、操作片７７，７８の操作時に摘み部７７ａ，７８ａの内側面全体が阻止片１６５ａ，１６５ｂの外側面１５２，１５３に当接する。従って、操作片７７，７８（摘み部７７ａ，７８ａ）が阻止片１６５ａ，１６５ｂを乗り越えてさらに内側に移動することを抑制することができる。なお、外側差込部材１５１は、第１実施例の内側差込部材８１及び取付部１１又は第２実施例の内側差込部材１８１及び取付部１１１と伴に使用することができる。
【００８２】
以上、この発明の一実施例を説明したが、本発明は上記実施例に限られず、種々の変更が可能である。図１８〜２２に示した第２実施例では、内側差込部材１８１に凸片１３０，１３１を設け、取付部１１１に係合溝１４２，１４３を設けているが、本発明はこれに限定されず、内側差込部材１８１に係合溝１４２，１４３を設け、取付部１１１に凸片１３０，１３１を設けてもよい。
【産業上の利用可能性】
【００８３】
本発明は、ハンモックや耳あご紐等の内装体をヘルメット本体に着脱する用途に用いることができる。
【符号の説明】
【００８４】
３  内装体
１０  ヘルメット本体
１１，１１１  取付部
１２，３２  ガイド部
２０，４０  係止凸部
２５  係止突起
５０  内装体係止装置
５１，１５１  外側差込部材（第１の差込片）
６５ａ，６５ｂ  阻止片
６６，６７  弾性係止部材
７２，７３  係止爪（係止部）
７５，７６  係止解除突起（係止解除部）
７７，７８  操作片（操作部）
８１，１８１  内側差込部材（第２の差込片）
９１  弾性係止片
１３０，１３１  凸片（第１の係合部）
１４２，１４３  係合溝（第２の係合部）
１６５ａ，１６５ｂ  阻止片
【図１】
2017210709.tif 000003
【図２】
2017210709.tif 000004
【図３】
2017210709.tif 000005
【図４】
2017210709.tif 000006
【図５】
2017210709.tif 000007
【図６】
2017210709.tif 000008
【図７】
2017210709.tif 000009
【図８】
2017210709.tif 000010
【図９】
2017210709.tif 000011
【図１０】
2017210709.tif 000012
【図１１】
2017210709.tif 000013
【図１２】
2017210709.tif 000014
【図１３】
2017210709.tif 000015
【図１４】
2017210709.tif 000016
【図１５】
2017210709.tif 000017
【図１６】
2017210709.tif 000018
【図１７】
2017210709.tif 000019
【図１８】
2017210709.tif 000020
【図１９】
2017210709.tif 000021
【図２０】
2017210709.tif 000022
【図２１】
2017210709.tif 000023
【図２２】
2017210709.tif 000024
【図２３】
2017210709.tif 000025
【図２４】
2017210709.tif 000026